(57)【要約】【課題】表示パネルの回転が規制される高さ位置の変動を防止し、表示パネルが載置面に接触することを防止できるようにする。【解決手段】スタンド１０は、スタンド部材３０、昇降部材４０、及び支持軸部材５０を備える。支持軸部材５０は、回転制御部５１を有する。回転制御部５１は、表示パネル２が横長配置された状態における第１幅寸法よりも縦長配置された状態における第２幅寸法の方が大きい形状をなしている。スタンド部材３０は、回転制御部５１が移動するスリット部６０を有する。スリット部６０は、上スリット部６１及び下スリット部６２を含む。上スリット部６１は、第２幅寸法よりも大きい幅寸法を有し、下スリット部６２は、第１幅寸法よりも大きく第２幅寸法よりも小さい幅寸法を有する。【選択図】図１
2016031441.tif 000002
【特許請求の範囲】
【請求項１】
載置面に立設されるスタンド部材と、
前記スタンド部材に昇降自在に支持された昇降部材と、
表示パネルの表示画面に直交する方向の軸心を有して前記昇降部材に前記軸心回りに回転自在に支持された支持軸部材であって第１端部に前記表示パネルを支持し第２端部に回転制御部を有する支持軸部材と、を備え、
前記回転制御部は、前記表示パネルが横長配置された状態と縦長配置された状態とで前記支持軸部材を中心とした回転対称ではない形状に構成され、
前記スタンド部材は、前記昇降部材の昇降方向に延びて前記回転制御部が前記昇降方向に移動するスリット部であって前記昇降方向に互いに隣接する上スリット部及び下スリット部を含むスリット部を有し、
前記上スリット部は、前記表示パネルが横長配置された状態及び縦長配置された状態の両方において前記回転制御部が前記昇降方向に移動自在、かつ前記回転制御部が前記支持軸部材を中心として前記軸心回りに回転自在に構成され、
前記下スリット部は、前記表示パネルが横長配置された状態でのみ前記回転制御部が前記昇降方向に移動自在に構成される、表示パネル用スタンド。
【請求項２】
前記回転制御部は、前記表示パネルが横長配置された状態における第１幅寸法よりも縦長配置された状態における第２幅寸法の方が大きい形状に構成され、
前記上スリット部は、前記第２幅寸法よりも大きい幅寸法を有し、
前記下スリット部は、前記第１幅寸法よりも大きく前記第２幅寸法よりも小さい幅寸法を有する、請求項１に記載の表示パネル用スタンド。
【請求項３】
前記上スリット部の下端部は、前記回転制御部の回転方向に沿った曲面状に形成されている、請求項２に記載の表示パネル用スタンド。
【請求項４】
前記昇降部材は、前記支持軸部材を複数箇所で回転自在に支持する、請求項１から３のいずれかに記載の表示パネル用スタンド。
【発明の詳細な説明】
【技術分野】
【０００１】
この発明は、表示パネルの高さ位置を調整自在、かつ表示パネルを横長配置と縦長配置とに切り替え自在に構成された表示パネル用スタンドに関する。
【背景技術】
【０００２】
液晶ディスプレイモニタや液晶テレビなどの薄型の表示パネルを備える画像表示装置の中には、表示パネルの高さ位置を調整自在、かつ表示パネルを横長配置と縦長配置とに切り替え自在に、表示パネルを支持するスタンドをさらに備えるものがある。
【０００３】
このような画像表示装置では、表示パネルを横長配置と縦長配置とに切り替えるために表示パネルを表示画面に平行な面内で回転させるピボット回転が、表示パネルがあまり高くない位置にある状態で行われると、表示パネルの対角線上の角部が載置面に接触してしまう虞がある。表示パネルの角部が載置面に接触すると、その衝撃によって表示パネルが故障や損傷することがある。
【０００４】
そこで、第１のスタンド部材、上端にストッパを有して第１のスタンド部材に上下動自在に支持された垂直軸、垂直軸を上向きに付勢するバネ、一端部に表示パネルを支持し他端部にストッパの外周部が嵌入可能な係合溝を有するパネル支持軸、及びパネル支持軸を回転自在に支持し第１のスタンド部材に対して昇降自在に構成された第２のスタンド部材を備え、ストッパが係合溝に嵌入していない状態ではパネル支持軸が回転可能である一方、ストッパが係合溝に嵌入した状態ではパネル支持軸が回転できず、表示パネルの回転も規制されるように意図された表示パネル用スタンドが知られている（例えば、特許文献１参照。）。
【先行技術文献】
【特許文献】
【０００５】
【特許文献１】特開平１１−１５３９６０号公報
【発明の概要】
【発明が解決しようとする課題】
【０００６】
しかし、特許文献１記載の従来の表示パネル用スタンドでは、垂直軸がバネによって付勢されているので、ストッパと係合溝とが噛み合う高さが、バネの経時劣化によって変動する虞がある。また、ストッパと係合溝とがうまく噛み合わない虞もあり、ストッパと係合溝とがうまく噛み合わないと表示パネルの回転が規制されない。このため、従来の表示パネル用スタンドでは、表示パネルの回転が規制される高さ位置が変動しやすい。
【０００７】
この発明の目的は、表示パネルの回転が規制される高さ位置の変動を防止し、表示パネルが載置面に接触することを防止できる表示パネル用スタンドを提供することにある。
【課題を解決するための手段】
【０００８】
この発明の表示パネル用スタンドは、スタンド部材、昇降部材、及び支持軸部材を備える。スタンド部材は、載置面に立設される。昇降部材は、スタンド部材に昇降自在に支持される。支持軸部材は、表示パネルの表示画面に直交する方向の軸心を有して、昇降部材に軸心回りに回転自在に支持される。支持軸部材は、第１端部に表示パネルを支持し、第２端部に回転制御部を有する。回転制御部は、表示パネルが横長配置された状態と縦長配置された状態とで支持軸部材を中心とした回転対称ではない形状に構成される。スタンド部材は、昇降部材の昇降方向に延びて回転制御部が前記昇降方向に移動するスリット部を有する。スリット部は、前記昇降方向に互いに隣接する上スリット部及び下スリット部を含む。上スリット部は、表示パネルが横長配置された状態及び縦長配置された状態の両方において回転制御部が前記昇降方向に移動自在、かつ回転制御部が支持軸部材を中心として軸心回りに回転自在に構成される。下スリット部は、表示パネルが横長配置された状態でのみ回転制御部が前記昇降方向に移動自在に構成される。
【０００９】
この構成では、回転制御部が上スリット部にある高さ位置においては、表示パネルは横長配置と縦長配置との間で回転可能になる。回転制御部が上スリット部にある高さ位置において表示パネルを縦長配置から横長配置へ回転させることで、回転制御部が下スリット部へ移動可能となり、表示パネルの高さ位置を低くすることが可能となる。一方、表示パネルが縦長配置や斜め配置にされた状態では回転制御部を下スリット部へ移動させることができないので、表示パネルの高さ位置を低くすることができない。また、回転制御部が下スリット部にある状態では表示パネルを回転させることができない。このため、表示パネルの載置面への接触が防止される。さらに、表示パネルの回転が規制される高さ位置は、回転制御部、上スリット部、及び下スリット部の形状や大きさといった形態によるので、表示パネルの回転が規制される高さ位置の変動が防止される。
【００１０】
上述の構成において、回転制御部は、表示パネルが横長配置された状態における第１幅寸法よりも縦長配置された状態における第２幅寸法の方が大きい形状に構成され、上スリット部は、第２幅寸法よりも大きい幅寸法を有し、下スリット部は、第１幅寸法よりも大きく第２幅寸法よりも小さい幅寸法を有するように構成することができる。
【００１１】
この構成では、上スリット部よりも下スリット部の方が細く形成され、表示パネルが横長配置された状態でのみ回転制御部が下スリット部へ移動可能となる。このように、表示パネルの回転が規制される高さ位置を、回転制御部、上スリット部、及び下スリット部の形状や大きさといった簡単な構造で決定することができる。このため、表示パネルの回転が規制される高さ位置の、経時劣化による変動が防止される。
【００１２】
また、上スリット部の下端部は、回転制御部の回転方向に沿った曲面状に形成されていることが好ましい。
【００１３】
この構成では、上スリット部よりも下スリット部の方が細くなっており、上スリット部の下端部で段差が生じ得るが、この下端部が回転制御部の回転方向に沿って円弧状に形成されていることで、角張っている場合と比較して、回転制御部を円滑に回転させることができる。
【００１４】
さらに、昇降部材は、支持軸部材を複数箇所で回転自在に支持することが好ましい。
【００１５】
この構成では、回転制御部が円滑に回転できるようにするために回転制御部と上スリット部との間に比較的大きな間隙が設けられた場合でも、支持軸部材は昇降部材に複数箇所で支持されているので、支持軸部材の軸心のブレが防止される。
【発明の効果】
【００１６】
この発明によれば、表示パネルの回転が規制される高さ位置の変動を防止し、表示パネルが載置面に接触することを防止できる。
【図面の簡単な説明】
【００１７】
【図１】この発明の第１実施形態に係る表示パネル用スタンドを備えた画像表示装置の斜め後方からの斜視図である。
【図２】表示パネル用スタンドの一部部材が省略された状態の分解斜視図である。
【図３】表示パネルが横長配置された状態の一部部材を除く表示パネル用スタンドの背面図である。
【図４】表示パネルの回転途中の状態の一部部材を除く表示パネル用スタンドの背面図である。
【図５】表示パネルが縦長配置された状態の一部部材を除く表示パネル用スタンドの背面図である。
【図６】第２実施形態に係る表示パネル用スタンドを備えた画像表示装置の斜め後方からの斜視図である。
【図７】第３実施形態に係る表示パネル用スタンドの一部の背面図である。
【図８】第４実施形態に係る表示パネル用スタンドの一部の背面図である。
【図９】（Ａ）は第５実施形態に係る表示パネル用スタンドの一部の背面図であって表示パネルが横長配置された状態を示し、（Ｂ）は表示パネルが縦長配置された状態を示す。
【発明を実施するための形態】
【００１８】
図１に示すように、この発明の第１実施形態に係るスタンド１０は、薄型の表示パネル２を備える画像表示装置１に用いられ、表示パネル２を支持する。表示パネル２の具体例として、液晶ディスプレイモニタや液晶テレビが挙げられる。
【００１９】
スタンド１０は、基台２０、スタンド部材３０、昇降部材４０、及び支持軸部材５０を備えている。
【００２０】
基台２０は、机上面などの載置面に載置される。スタンド部材３０は、長尺状の部材で構成され、載置面に対して立設するように基台２０に支持されている。
【００２１】
昇降部材４０は、可動部４１及び保持部４２を有している。
【００２２】
可動部４１は、スタンド部材３０に外側から当接し、スタンド部材３０の長尺方向に沿って昇降自在に構成されている。また、可動部４１は、スタンド部材３０に対して、図示しないラッチ機構等によって所望の高さ位置に停止させることができるように構成されている。
【００２３】
保持部４２は、延出部４２１，４２２、及び軸支部４２３を有している。
【００２４】
延出部４２１，４２２のそれぞれの第１端部は、可動部４１の両側部に可動部４１を挟むように取り付けられている。延出部４２１，４２２のそれぞれの第２端部は、可動部４１から前方へ延出している。軸支部４２３は、延出部４２１，４２２の第２端部に支持されている。保持部４２は、可動部４１と一体的に昇降する。
【００２５】
支持軸部材５０は、表示パネル２の表示画面に直交する方向に延びるように、第１端部に表示パネル２を支持している。支持軸部材５０は、表示パネル２の表示画面に直交する方向の軸心を有し、昇降部材４０の軸支部４２３に軸心回りに回転自在に支持されている。
【００２６】
図２に示すように、支持軸部材５０は、第２端部に、回転制御部５１を有している。回転制御部５１は、表示パネル２が横長配置された状態と縦長配置された状態とで、支持軸部材５０の軸心を中心とした回転対称ではない形状に構成されている。
【００２７】
この第１実施形態に係るスタンド１０では、回転制御部５１は、表示パネル２が横長配置された状態における第１幅寸法Ｌ１（図３参照）よりも、縦長配置された状態における第２幅寸法Ｌ２（図５参照）の方が大きい形状に構成されている。一例として、回転制御部５１は、直方体である。
【００２８】
スタンド部材３０は、スタンド部材本体部３１、及び背面板３２を有している。図２では、説明の便宜上、背面板３２及び昇降部材４０が省略されている。
【００２９】
スタンド部材本体部３１は、スリット部６０を有している。スリット部６０は、昇降部材４０の昇降方向Ｙに延びている。回転制御部５１は、スリット部６０内を昇降方向Ｙに移動する。スリット部６０は、昇降方向Ｙに互いに隣接する上スリット部６１及び下スリット部６２を含む。
【００３０】
図３〜図５に示すように、上スリット部６１は、表示パネル２が横長配置された状態及び縦長配置された状態の両方において回転制御部５１が昇降方向Ｙに移動自在、かつ回転制御部５１が支持軸部材５０を中心として軸心回りに回転自在に構成されている。この第１実施形態に係るスタンド１０では、上スリット部６１は、第２幅寸法Ｌ２よりも大きい幅寸法を有している。
【００３１】
下スリット部６２は、表示パネル２が横長配置された状態でのみ回転制御部５１が昇降方向Ｙに移動自在に構成されている。この第１実施形態に係るスタンド１０では、下スリット部６２は、第１幅寸法Ｌ１よりも大きく、かつ第２幅寸法Ｌ２よりも小さい幅寸法を有している。
【００３２】
このように構成されたスタンド１０では、図４及び図５に示すように、回転制御部５１が上スリット部６１にある高さ位置においては、表示パネル２は横長配置と縦長配置との間で回転可能である。図３及び図４に示すように、回転制御部５１が上スリット部６１にある高さ位置において表示パネル２を縦長配置から横長配置へ回転させることで、回転制御部５１が下スリット部６２へ移動可能となり、表示パネル２の高さ位置を低くすることが可能となる。上スリット部６１と下スリット部６２との境界部の高さ位置は、図４，５に示すように、回転制御部５１が上スリット部６１の下端部にある状態において、表示パネル２が載置面に接触しないように設計される。
【００３３】
一方、上スリット部６１よりも下スリット部６２の方が細く形成されているので、表示パネル２が縦長配置や斜め配置にされた状態では回転制御部５１を下スリット部６２へ移動させることができず、表示パネル２の高さ位置を低くすることができない。このように、表示パネル２の高さ寸法が大きい姿勢では表示パネル２の高さ位置を低くできないので、表示パネル２が載置面に接触することが防止される。
【００３４】
また、回転制御部５１が下スリット部６２にある状態では表示パネル２を回転させることができない。このように、表示パネル２の高さ位置が低い状態では表示パネル２を回転できないので、表示パネル２の回転によって表示パネル２の対角線上の角部が、載置面に接触することが防止される。
【００３５】
さらに、表示パネル２を縦長配置可能かつ回転自在な領域と、表示パネル２の回転が規制されかつ表示パネル２が横長配置でのみ移動自在となる領域との境界部の高さ位置、即ち上スリット部６１と下スリット部６２との境界部の高さ位置を、回転制御部５１、上スリット部６１、及び下スリット部６２の形状や大きさといった形態によって規定することができる。このため、表示パネル２が載置面に接触するのを防止できる確実性が高い。
【００３６】
また、上述のように、上記境界部の高さ位置を、回転制御部５１、上スリット部６１、及び下スリット部６２の形状や大きさといった簡単な構造で規定することができるので、上記境界部の高さ位置の、関係部材の経時劣化による変動が防止される。
【００３７】
このように、スタンド１０によれば、表示パネル２の回転が規制される高さ位置の変動を防止し、表示パネル２が載置面に接触することを防止できる。
【００３８】
図６に示すように、第２実施形態に係るスタンド１０Ａは、昇降部材４０が、支持軸部材５０を複数箇所で回転自在に支持していることを除いて、第１実施形態に係るスタンド１０と同様に構成されている。なお、スタンド１０Ａを備える画像表示装置１Ａについて、画像表示装置１と同様の構成については同じ符号を使用している。
【００３９】
具体的には、昇降部材４０は、第１軸支部４２３に加えて、第２軸支部４２４を備えている。支持軸部材５０は、第１軸支部４２４及び第２軸支部４２５の両方において、軸心回りに回転自在に支持されている。
【００４０】
回転制御部５１が円滑に回転できるようにするために回転制御部５１と上スリット部６１との間に比較的大きな間隙が設けられた場合でも、支持軸部材５０は昇降部材４０に複数箇所で支持されているので、支持軸部材５０の軸心のブレが防止される。
【００４１】
図７に示すように、第３実施形態に係るスタンド１０Ｂは、上スリット部６１の下端部６１１が、回転制御部５１の回転方向に沿った曲面状に形成されていることを除いて、第１実施形態に係るスタンド１０と同様に構成されている。
【００４２】
上スリット部６１よりも下スリット部６２の方が細くなっており、上スリット部６１の下端部６１１で段差が生じ得るが、この下端部６１１が回転制御部５１の回転方向に沿った曲面状に形成されていることで、角張っている場合と比較して、回転制御部５１を円滑に回転させることができる。
【００４３】
図８に示すように、第４実施形態に係るスタンド１０Ｃは、回転制御部５１Ｃの回転方向に沿った２つの互いに隣接する面の交わり部分が、回転制御部５１Ｃの回転方向に沿った曲面状に形成されていることを除いて、第３実施形態に係るスタンド１０Ｂと同様に構成されている。
【００４４】
上スリット部６１の下端部６１１が曲面状に形成されていることに加えて、回転制御部５１Ｃの回転における外縁部も曲面状に形成されていることで、回転制御部５１Ｃをより円滑に回転させることができる。なお、回転制御部５１Ｃは、楕円球形にすることもできる。
【００４５】
図９（Ａ）及び図９（Ｂ）に示すように、第５実施形態に係るスタンド１０Ｄは、回転制御部５１Ｄが背面視でＴ字状に形成されていることを除いて、第１実施形態に係るスタンド１０と同様に構成されている。
【００４６】
図９（Ａ）に示すように、表示パネル２が横長配置された状態では、回転制御部５１Ｄの少なくとも足部５１１Ｄが下スリット部６２に進入可能であり、表示パネル２の高さ位置を低くできる。
【００４７】
一方、図９（Ｂ）に示すように、表示パネル２が縦長配置された状態、及び斜め配置された状態では、回転制御部５１Ｄの全てが下スリット部６２に進入できない。このため、表示パネル２の高さ位置を低くすることができない。
【００４８】
このように、回転制御部５１Ｄの形状は、表示パネル２が横長配置された状態と縦長配置された状態とで支持軸部材５０の軸心を中心とした回転対称ではない形状であればよく、直方体や楕円球形などの単純な形状に限定されない。このため、回転制御部５１Ｄの設計の自由度が向上する。なお、表示パネル２が横長配置された状態で、回転制御部５１Ｄの足部５１１Ｄだけでなく全体が下スリット部６２に進入可能であり、表示パネル２が縦長配置や斜め配置された状態では、回転制御部５１Ｄの全てが下スリット部６２に進入できないように構成することもできる。
【００４９】
上述の実施形態のそれぞれの技術的特徴を互いに組み合わせることで、新たな実施形態を構成することが考えられる。
【００５０】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５１】
１，１Ａ  画像表示装置
２  表示パネル
１０，１０Ａ，１０Ｂ，１０Ｃ，１０Ｄ  スタンド
３０  スタンド部材
３１  スタンド部材本体部
４０  昇降部材
５０  支持軸部材
５１，５１Ｃ，５１Ｄ  回転制御部
６０  スリット部
６１  上スリット部
６２  下スリット部
Ｌ１  第１幅寸法
Ｌ２  第２幅寸法
Ｙ  昇降方向
【図１】
2016031441.tif 000003
【図２】
2016031441.tif 000004
【図３】
2016031441.tif 000005
【図４】
2016031441.tif 000006
【図５】
2016031441.tif 000007
【図６】
2016031441.tif 000008
【図７】
2016031441.tif 000009
【図８】
2016031441.tif 000010
【図９】
2016031441.tif 000011